(57)【要約】【課題】天面格子が輸送等の振動で外れることを防ぐとともに、フィルタを装着しやすい空調用室内ユニットおよび空気調和機を提供する。【解決手段】本体筐体１２と、本体筐体１２の前面および天面にそれぞれ形成された前面吸入口および天面吸込口と、本体筐体１２の下面に形成された吹出口と、天面吸込口を覆う天面格子１４、および前面吸込口を覆うフロントパネル１６と、両吸込口から吹出口に向けて空気を送風する室内ファンと、室内の空気と冷媒との間で熱交換を行う室内熱交換器と、を備えた空気調和機の空調用室内ユニットであって、天面格子１４の前端側の支持構造として、天面格子１４の前縁に、フロントパネル１６と係合して、この天面格子前端側の盲動を防止する突起部２６が設けられていることを特徴とする。【選択図】  図６
2004347255.tif 000002
【特許請求の範囲】
【請求項１】
本体筐体と、本体筐体の前面および天面にそれぞれ形成された前面吸入口および天面吸込口と、本体筐体の下面に形成された吹出口と、前記天面吸込口を覆う天面格子、および前記前面吸込口を覆うフロントパネルと、前記両吸込口から吹出口に向けて空気を送風する室内ファンと、室内の空気と冷媒との間で熱交換を行う室内熱交換器と、を備えた空気調和機の空調用室内ユニットであって、
前記天面格子の前端側の支持構造として、
該天面格子の前縁に、前記フロントパネルと係合して、この天面格子前端側の盲動を防止する突起部が設けられていることを特徴とする空調用室内ユニット。
【請求項２】
請求項１記載の空調用室内ユニットにおいて、
前記突起部が前記天面格子の面方向前方に突出した板形状に形成されているとともに、前記突起部には、空気吸い込み用の開口部が設けられていることを特徴とする空調用室内ユニット。
【請求項３】
請求項１または２に記載の空調用室内ユニットにおいて、
前記本体筐体と前記フロントパネルとの間、および前記本体筐体と前記天面格子との間にはフィルタが挿入、離脱自在に配置され、
前記本体筐体には、該本体筐体から柱状に突出した柱状部が設けられ、
前記天面格子には、該柱状部を挟み係合する挟持部とが設けられ、
前記フィルタは、前記挟持部と本体筐体との間を通して挿入、離脱可能とされ、
柱状部には、前記フィルタの挿入、離脱時に該フィルタの移動位置を規制するリブが設けられていることを特徴とする空調用室内ユニット。
【請求項４】
請求項３記載の空調用室内ユニットにおいて、
前記リブが、前記フィルタを前記本体筐体と前記天面格子との間に挿入する際に、該フィルタを挿入方向に案内するように傾けて配置されていることを特徴とする空調用室内ユニット。
【請求項５】
請求項３記載の空調用室内ユニットにおいて、
前記リブには、前記フィルタを前記本体筐体と前記天面格子との間に挿入する挿入方向に対して、傾斜角を有する誘導部が設けられていることを特徴とする空調用室内ユニット。
【請求項６】
請求項３から５のいずれかに記載の空調用室内ユニットにおいて、
前記リブが、前記柱状部と前記挟持部とが係合した状態において、前記挟持部よりも前記フィルタ側に突出するように形成されていることを特徴とする空調用室内ユニット。
【請求項７】
請求項１または２に記載の空調用室内ユニットにおいて、
前記本体筐体と前記フロントパネルとの間、および前記本体筐体と前記天面格子との間にはフィルタが挿入、離脱自在に配置され、
前記本体筐体には、該本体筐体から柱状に突出した柱状部が設けられ、
前記天面格子には、両側から該柱状部を挟み係合する挟持部とが設けられているとともに、
該挟持部の前記フィルタ挿入方向奥側の他方の端部が、前記挟持部の前記フィルタ挿入方向手前側の一方の端部により規制される前記フィルタの挿入軌跡から退避した位置に配置されていることを特徴とする空調用室内ユニット。
【請求項８】
請求項７記載の空調用室内ユニットにおいて、
前記挟持部がＣ字状に形成されているとともに、
該挟持部の他方の端部の厚さが、該挟持部の一方の端部の厚さにより規制される前記フィルタの挿入軌跡から退避する厚さに形成されていることを特徴とする空調用室内ユニット。
【請求項９】
請求項１から８のいずれかに記載の空調用室内ユニットにおいて、
前記本体筐体には、前記フィルタが装着された状態において、前記フィルタの先端が挿通する挿通用開口部が設けられ、
前記天面格子の前記フィルタ側の面には、前記本体筐体と前記天面格子との間に挿入された前記フィルタを、前記本体筐体側に押しつける押込部が形成されていることを特徴とする空調用室内ユニット。
【請求項１０】
本体筐体と、本体筐体の前面および天面にそれぞれ形成された前面吸入口および天面吸込口と、本体筐体の下面に形成された吹出口と、両吸込口から吹出口に向けて空気を送風する室内ファンと、室内の空気と冷媒との間で熱交換を行う室内熱交換器とを備えた空調用室内ユニットと、
屋外の空気と冷媒との間で熱交換を行う室外熱交換器と、該室外熱交換器に屋外の空気を送風する室外ファンと、該室外熱交換器または前記室内熱交換器に高温高圧の冷媒を圧送する圧縮機とを備えた空調用室外ユニットと、
からなる空気調和機であって、
前記空調用室内ユニットが請求項１から９のいずれかに記載の空調用室内ユニットであることを特徴とする空気調和機。
【発明の詳細な説明】
【０００１】
【発明の属する技術分野】
本発明は、天面吸込口を覆う天面格子が取り外せる構造を採用している空調用室内ユニットおよび空気調和機に関する。
【０００２】
【従来の技術】
周知のように、空気調和機における壁掛け型室内機は、通常、本体ケーシングの前面に室内空気の吸入口を、また、その下側に吹出口をそれぞれ設けて構成されている。さらに、例えば本体ケーシング内に逆Ｖ字形状の熱交換器を設け、これに伴って本体ケーシングの天面にも室内空気の吸込口を設けて構成された室内機が提供されている。
しかしながら、前述した空気調和機の室内機においては、天面に設けた吸込口周辺の清掃が困難であるという問題があり、この問題を解決するためにさまざま構成を有した室内機を備える空気調和機が提案されている。
【０００３】
上述した問題を解決した構成を有する空気調和機として、室内機に上面吸込口を覆う天面格子パネルを設け、この天面格子パネルを、本体ケーシングを構成する前面グリルの天面に着脱自在に装着し、さらに本体ケーシングへの天面格子パネルの着脱が、この天面格子パネルを本体ケーシングの略前後方向に沿ってスライドさせて行われるように形成されているものが知られている。
上面吸込口周辺の清掃に当たっては、天面格子パネルを手前にスライドさせながら前面グリルから取り外すことができる。そのため、安全な姿勢で、また汚れの箇所や程度を確認しながら適宜水洗いなども交えて行うことができるので、清掃作業をより短時間で、かつ容易に行うことができる（例えば、特許文献１参照。）。
【０００４】
【特許文献１】
特開平１１−３５１６０８号公報  （第６頁、第１図）
【０００５】
【発明が解決しようとする課題】
ところで、上記の空気調和機においては、工場で製作された後、梱包されて販売店などへトラックなどの輸送手段により輸送される。しかし、これら輸送手段で輸送される時には必ず上下左右方向への振動が伴い、この輸送中の振動によって天面格子パネルが本体ケーシングから外れてしまう恐れがあった。輸送中に天面格子パネルが外れると、振動により天面格子パネルが本体ケーシング等の隣接する部品とぶつかってお互いに傷ついてしまうという問題があった。
【０００６】
また、上記空気調和機の前面から天面にかけてフィルタが設けられ、フィルタは正面格子部と正面グリルとの間、および天面格子パネルと正面グリルとの間に、正面格子部側から正面グリルに向けて挿入されている。
正面格子部と前面グリルとの間の挿入方向は略上下方向であって、天面格子パネルと前面グリルとの間の挿入方向は略前後方向であるので、フィルタは、正面格子部と正面グリルとの間で前面グリルから浮き上がり易くなる。フィルタを天面格子パネルと前面グリルとの間に挿入する際において、フィルタの先端が浮き上がり易くなるため、天面格子パネルと衝突して挿入しにくくなるという問題があった。
【０００７】
この発明は、このような事情を考慮してなされたもので、その目的は、天面格子が輸送等の振動で外れることを防ぐとともに、フィルタを装着しやすい空調用室内ユニットおよび空気調和機を提供することにある。
【０００８】
【課題を解決するための手段】
本発明の空調用室内ユニットおよび空気調和機では、上記課題を解決するため、以下の手段を採用した。
請求項１にかかる発明は、本体筐体と、本体筐体の前面および天面にそれぞれ形成された前面吸入口および天面吸込口と、本体筐体の下面に形成された吹出口と、前記天面吸込口を覆う天面格子、および前記前面吸込口を覆うフロントパネルと、前記両吸込口から吹出口に向けて空気を送風する室内ファンと、室内の空気と冷媒との間で熱交換を行う室内熱交換器と、を備えた空気調和機の空調用室内ユニットであって、前記天面格子の前端側の支持構造として、該天面格子の前縁に、前記フロントパネルと係合して、この天面格子前端側の盲動を防止する突起部が設けられていることを特徴とする。
【０００９】
この発明にかかる空調用室内ユニットによれば、上記突起部がフロントパネルと係合しているため、天面格子前端側の盲動はフロントパネルにより拘束されている。盲動が拘束されているため、天面格子は外部から力を加えられても移動することがなく、本体筐体から外れることがない。
また、天面格子を取り外すには、まずフロントパネルを取り外して突起部との係合を解き、その後、天面格子前端側を上方にあげて取り外している。天面格子を上方にあげる時には、天面格子に設けられている上記突起部を持って天面格子を上方にあげることができるので、天面格子の取り外し操作が楽になる。
【００１０】
請求項２にかかる発明は、請求項１記載の空調用室内ユニットにおいて、前記突起部が前記天面格子の面方向前方に突出した板形状に形成されているとともに、前記突起部には、空気吸い込み用の開口部が設けられていることを特徴とする。
【００１１】
この発明にかかる空調用室内ユニットによれば、上記突起部には空気吸い込み用の開口部が設けられているため、上記突起部は前面吸込口または天面吸込口に吸込まれる空気の流れを阻害しにくくなる。つまり、上記突起部の近傍を流れる上記空気の流れは、上記突起部に衝突することなく、上記突起部に設けられた開口部を通って流れるので流れ抵抗が小さくなり、その流量低下が小さくなる。
また、上記突起部に開口部を設けて上記空気流れの抵抗を小さくすることができるので、上記突起部の大きさを大きくでき、天面格子の取り付け、取り外しを行いやすくすることができる。
【００１２】
請求項３にかかる発明は、請求項１または２に記載の空調用室内ユニットにおいて、前記本体筐体と前記フロントパネルとの間、および前記本体筐体と前記天面格子との間にはフィルタが挿入、離脱自在に配置され、前記本体筐体には、該本体筐体から柱状に突出した柱状部が設けられ、前記天面格子には、該柱状部を挟み係合する挟持部とが設けられ、前記フィルタは、前記挟持部と本体筐体との間を通して挿入、離脱可能とされ、柱状部には、前記フィルタの挿入、離脱時に該フィルタの移動位置を規制するリブが設けられていることを特徴とする。
【００１３】
この発明にかかる空調用室内ユニットによれば、上記柱状部には、フィルタの挿入、離脱時に該フィルタの移動位置を規制するリブが設けられているので、フィルタを挿入する際には、フィルタの先端を本体筐体とフロントパネルとの間に導くことができる。
つまり、フィルタの先端が本体筐体から浮き上がっても、上記リブに衝突し、フィルタの先端は上記リブにより本体筐体側に押し戻される。
【００１４】
請求項４にかかる発明は、請求項３記載の空調用室内ユニットにおいて、前記リブが、前記フィルタを前記本体筐体と前記天面格子との間に挿入する際に、該フィルタを挿入方向に案内するように傾けて配置されていることを特徴とする。
【００１５】
この発明にかかる空調用室内ユニットは、上記リブがフィルタを本体筐体と天面格子との間に挿入する際に、フィルタを挿入方向に案内するように傾けて配置されている。この傾きにより、フィルタの先端は本体筐体とフロントパネルとの間に、より導かれやすくなる。
つまり、フィルタの先端が本体筐体から浮き上がっても、上記リブに衝突し、上記傾きによりフィルタの先端は上記リブに沿って本体筐体側に押し戻される。
【００１６】
請求項５にかかる発明は、請求項３記載の空調用室内ユニットにおいて、前記リブには、前記フィルタを前記本体筐体と前記天面格子との間に挿入する挿入方向に対して、前記フィルタ側に向かって前記フィルタの挿入方向へ傾く傾斜角を有する誘導部が設けられていることを特徴とする。
【００１７】
この発明にかかる空調用室内ユニットによれば、上記リブにはフィルタ側に向かってフィルタの挿入方向へ傾く傾斜角を有する誘導部が設けられているので、フィルタの先端は本体筐体とフロントパネルとの間に、より導かれやすくなる。つまり、フィルタの先端が本体筐体から浮き上がっても、上記リブに衝突し、フィルタの先端は上記誘導部に沿って本体筐体側に押し戻される。
【００１８】
請求項６にかかる発明は、請求項３から５のいずれかに記載の空調用室内ユニットにおいて、前記リブが、前記柱状部と前記挟持部とが係合した状態において、前記挟持部よりも前記フィルタ側に突出するように形成されていることを特徴とする。
【００１９】
この発明にかかる空調用室内ユニットは、柱状部と挟持部とが係合した状態において、上記リブが挟持部よりもフィルタ側に突出するように形成されている。上記リブが挟持部よりも突出しているので、挟持部のフィルタ挿入方向奥側の端部は上記リブにより規制されるフィルタの挿入軌跡から退避した位置となり、挟持部のフィルタ挿入方向手前側の端部とフィルタの先端とが衝突するか、上記リブとフィルタの先端とが衝突する。
つまり、挟持部のフィルタ挿入方向奥側の端部とフィルタとが衝突することがなく、上記奥側の端部がフィルタ挿入方向奥側へ押し曲げられ、破損させられること防止することができる。
【００２０】
請求項７にかかる発明は、請求項１または２に記載の空調用室内ユニットにおいて、前記本体筐体と前記フロントパネルとの間、および前記本体筐体と前記天面格子との間にはフィルタが挿入、離脱自在に配置され、前記本体筐体には、該本体筐体から柱状に突出した柱状部が設けられ、前記天面格子には、両側から該柱状部を挟み係合する挟持部とが設けられているとともに、該挟持部の前記フィルタ挿入方向奥側の他方の端部が、前記挟持部の前記フィルタ挿入方向手前側の一方の端部により規制される前記フィルタの挿入軌跡から退避した位置に配置されていることを特徴とする。
【００２１】
この発明にかかる空調用室内ユニットは、挟持部のフィルタ挿入方向奥側の他方の端部が、挟持部のフィルタ挿入方向手前側の一方の端部により規制されるフィルタの挿入軌跡から退避した位置に配置されている。他方の端部がフィルタの挿入軌跡から退避した位置に配置されているので、挿入されたフィルタの先端は一方の端部のみに衝突し、他方の端部へは衝突しない。
このような構成としては、例えば、コの字状の挟持部であって、一方の端部の長さが長く他方の端部の長さが短いものを挙げることができる。
【００２２】
請求項８にかかる発明は、請求項７記載の空調用室内ユニットにおいて、前記挟持部がＣ字状に形成されているとともに、該挟持部の他方の端部の厚さが、該挟持部の一方の端部の厚さにより規制される前記フィルタの挿入軌跡から退避する厚さに形成されていることを特徴とする。
【００２３】
この発明にかかる空調用室内ユニットは、挟持部がＣ字状に形成されているとともに、挟持部の一方の端部の厚さが挟持部の一方の端部の厚さにより規制されるフィルタの挿入軌跡から退避する厚さに形成されている。そのため、挿入されたフィルタの先端は一方の端部側面に衝突して本体筐体側へ押し込まれ、他方の端部へは衝突しない。
【００２４】
請求項９にかかる発明は、請求項１から８のいずれかに記載の空調用室内ユニットにおいて、前記本体筐体には、前記フィルタが装着された状態において、前記フィルタの先端が挿通する挿通用開口部が設けられ、前記天面格子の前記フィルタ側の面には、前記本体筐体と前記天面格子との間に挿入された前記フィルタを、前記本体筐体側に押しつける押込部が形成されていることを特徴とする。
【００２５】
この発明にかかる空調用室内ユニットにおいては、天面格子のフィルタ側の面に、挿入されたフィルタを本体筐体側に押しつける押込部が形成されている。そのため、フィルタは、挿入時に本体筐体側に押し付けられ、フィルタの先端が上記挿通用開口部に挿通され、フィルタを所定の位置まで挿入することができる。
【００２６】
請求項１０にかかる発明は、本体筐体と、本体筐体の前面および天面にそれぞれ形成された前面吸入口および天面吸込口と、本体筐体の下面に形成された吹出口と、両吸込口から吹出口に向けて空気を送風する室内ファンと、室内の空気と冷媒との間で熱交換を行う室内熱交換器とを備えた空調用室内ユニットと、屋外の空気と冷媒との間で熱交換を行う室外熱交換器と、該室外熱交換器に屋外の空気を送風する室外ファンと、該室外熱交換器または前記室内熱交換器に高温高圧の冷媒を圧送する圧縮機とを備えた空調用室外ユニットと、からなる空気調和機であって、前記空調用室内ユニットが請求項１から９のいずれかに記載の空調用室内ユニットであることを特徴とする。
【００２７】
この発明にかかる空気調和機によれば、天面格子はフロントパネルによりその動きが拘束されているため、天面格子は外部から力を加えられてもフロントパネルで拘束されている以上に移動することがなく、本体筐体から外れることがない。
【００２８】
【発明の実施の形態】
〔第１の実施の形態〕
以下、本発明の第１の実施の形態について図面を参照しながら説明する。
図１は本発明の空調用室内ユニット１０を備えた空気調和機１の概略構成図である。
空気調和機１は、図１に示すように、空調用室内ユニット１０および空調用室外ユニット４０から構成されている。これら空調用室内ユニット１０および空調用室外ユニット４０は、冷媒が導通する冷媒配管４５や図示しない電気配線などにより接続されている。冷媒配管４５は２本備えられており、冷媒は、一方において空調用室内ユニット１０から空調用室外ユニット４０へ、また他方において空調用室外ユニット４０から空調用室内ユニット１０へと流れることになる。
【００２９】
図２は空調用室内ユニット１０の斜視図であり、図３は空調用室内ユニット１０のＡ−Ａ線矢視断面図である。
この空調用室内ユニット１０は、図２または図３に示すように、ベース１１と、ベース１１の前面側に取り付けられる本体筐体１２とから概略構成されている。本体筐体１２の天面には、室内の空気を取り入れるための天面吸込口１３が設けられ、この天面吸込口１３を覆うように２枚の天面格子１４、１４が設けられている。本体筐体１２の前面には、同じく室内の空気を取り入れるための前面吸込口１５が設けられ、この前面吸込口１５を覆うように設けられたフロントパネル１６が設けられている。本体筐体１２の下面には空気を室内に戻すための吹出口１７が設けられている。さらに、天面吸込口１３と前面吸込口１５とに沿ってフィルタ１８が装着されている。
【００３０】
本体筐体１２の内部には、取り入れられた室内の空気を冷却または加熱するための室内熱交換器１９と、天面吸込口１３および前面吸込口１５から空気を取り入れるとともに、吹出口１７から室内に熱交換された空気を吹出させるためのクロスフローファン（室内ファン）２０とが設けられている。
【００３１】
上述した空調用室内ユニット１０において、室内熱交換器１９、吹出口１７、クロスフローファン２０に着いては従来周知のものであるので、ここではその説明を省略する。
また、吹出口１７には、吹出方向を調整するため、周知の吹出ルーバー２１および吹出フラップ２２が設けられている。なお、吹出フラップ２２の動作により、吹出口１７の開閉が可能である。
【００３２】
空調用室外ユニット４０は、図１に示すように、冷媒を圧縮するための圧縮機４１、冷媒と室外の空気との熱交換を行わせるための室外熱交換器４２、および室外熱交換器４２における冷媒と室外の空気との熱交換を促進させるプロペラファン（室外ファン）４３を有するものである。
【００３３】
次に本発明の特徴部である空調用室内ユニット１０の天面格子１４および本体筐体１２と天面格子１４との係合部について説明する。
図４は天面格子１４を裏側から見た図であり、図５は天面格子１４の部分拡大図である。
天面格子１４は、図４に示すように、略長方形の外枠２５の内側に複数の横桟２５ａ・・・と縦桟２５ｂ・・・とが格子状に設けられている。外枠２５の前方（図４においては上方）の縁部には、略板形状の取っ手（突起部）２６が前方に突出するように一対設けられている。取っ手２６には、空気の流れが取っ手２６により阻害されないようにする略長方形の開口部２７と、本体筐体１２との係合に用いられる挟持部２８とが設けられている。挟持部２８は取っ手２６の本体筐体１２側の面に設けられた一対の対向した板状柱２８ａ、２８ａから構成されている。一対の板状柱２８ａは前後方向（図４においては上下方向）に並んで配置されているとともに、取っ手２８から本体筐体１２に向かって一対の板状柱２８ａ、２８ａの間隔が漸次狭くなるように配置されている。
【００３４】
外枠２５の左右の縁部の後寄りには、図４および図５に示すように、フィルタを本体筐体１２側に押し付ける押込部２９が設けられている。押込部２９はＵ字形状の壁部から形成されるとともに、Ｕ字形状の開口部が前方を向くように配置されている。Ｕ字形状の両端部には、外枠２５から本体筐体１２に向かって後方に傾斜する傾斜面２９ａが形成されている。
外枠２５の後方の縁部には、図４に示すように、本体筐体１２と係合する板状の係合突起３０、３０が設けられている。
【００３５】
図６は本体筐体１２と天面格子１４との係合部のうち前方部分の拡大断面図であり、図７は同じく後方部分の拡大断面図である。
本体筐体１２の天面吸込口１３には、幅方向略中央部に背面側から前面側に延びる梁状の中央支持部３１が設けられている。中央支持部３１の両側面と本体筐体１２の内側面とには、図６に示すように、円筒形状の柱状部３２が設けられ、柱状部３２の下部には板状のリブ３３が略下方に延在すように設けられている。また、本体筐体１２の天面吸込口の背面側突き当り面には、図７に示すように、フィルタ１８の先端が挿入されるスリット（挿通用開口部）３４と、上述した天面格子１４の係合突起３０が挿入される係合孔３５とが設けられている。
【００３６】
フロントパネル１６には、図２および図３に示すように、その上端に背面側へ折れ曲がり、天面格子の取っ手部を前方から覆う取っ手拘束部３６が設けられ、その前面には、前面吸込口１５に吸込まれる空気の通路になるフロントパネル吸込口３７が設けられている。
【００３７】
次に、上記の構成からなる空気調和機１の作用について、暖房運転時および冷房運転時の場合に分けながら説明する。
まず、暖房運転時には、圧縮機４１で高温高圧にされた気体冷媒は、図１に示すように、冷媒配管４５を通り室内機ユニット１０の室内熱交換器１９に圧送される。室内機ユニット１０内では、クロスフローファン２０により天面吸込口１３および前面吸込口１５から取り込まれた室内気に対して、室内熱交換器１９を流過する高温高圧の冷媒から熱が与えられる。このことにより、吹出口１７から温風が吹き出されることになる。また同時に、高温高圧の気体冷媒は、室内熱交換器１９において凝縮液化して高温高圧の液冷媒となる。
【００３８】
この高温高圧の液冷媒は、室外機ユニット４０の室外熱交換器４２に送られる途中で、膨張弁により減圧され低温低圧の液冷媒となる。室外機ユニット４０では、プロペラファン４３により取り込まれた新しい室外気から、室外熱交換器４２を流過する低温低圧の液冷媒が熱を奪うことになる。低温低圧の液冷媒は、熱を奪うことにより蒸発気化して低温低圧の気体冷媒となる。これが再び圧縮機４１に送出され、上記過程を繰り返すことになる。
【００３９】
冷房運転時には、冷媒は上記とは逆方向に冷媒回路中を流れる。すなわち、圧縮機４１で高温高圧とされた気体冷媒が、冷媒配管４５を通過して室外熱交換器４２に圧送され、ここで室外気に熱を奪われて凝縮液化し高温高圧の液冷媒となる。この高温高圧の液冷媒は、膨張弁により減圧されて低温低圧の液冷媒となり、再び冷媒配管４５を通って室内熱交換器１９に送られる。低温低圧の液冷媒は、ここで室内機から熱を奪って吹出口１７から冷風を吹出すとともに、冷媒自身は蒸発気化して低温低圧の気体冷媒となる。これが再び圧縮機４１に送出され、上記過程を繰り返すことになる。
【００４０】
次に、空調用室内ユニット１０の天面格子１４の取り付け、取り外しについて説明する。
図８は空調用室内ユニット１０を斜め上方から拡大して見た図であり、図９はフロントパネルを取り外した空調用室内ユニット１０を斜め上方から拡大して見た図である。図１０はフロントパネルおよび天面格子を取り外した空調用室内ユニット１０を斜め上方から拡大して見た図であり、図１１はフロントパネルを取り外した空調用室内ユニット１０を斜め下方から拡大して見た図である。
フロントパネル１６および天面格子１４は、図８に示すように、本体筐体１２に取り付けられている。天面格子１４を取り外すには、まず、フロントパネル１６を図６および図８の矢印で示すように、前方へ引くことにより取り外し、図９に示す状態にする。この状態から天面格子１４の取っ手を、図６および図９の矢印で示すように、上方へ引くことにより天面格子を取り外す。
【００４１】
逆に、天面格子１４を取り付けるには、図７の実線で示すように、まず、天面格子１４の係合突起３０を本体筐体の係合孔３５に斜め上から挿入する。そして、図７および図９の矢印で示すように、天面格子１４を下方へ引き下ろし、
図６および図１１で示すように、挟持部２８の板状柱２８ａに柱状部３２が挟まれ、本体筐体１２と天面格子１４とが係合する。
本体筐体１２と天面格子１４とを係合した後、図６または図８の矢印に示すように、フロントパネル１６を前面から本体筐体１２に取り付ける。
【００４２】
次に、空調用室内ユニット１０のフィルタ１８の取り付けについて説明する。フィルタ１８の取り付けは、図９に示すような本体筐体１２に天面格子１４が取り付けられ、フロントパネル１６が取り外された状態で行われる。
フィルタ１８は、図６の白抜き矢印で示すように、本体筐体１２の前方下方から柱状部３２およびリブ３３の下方を通り、本体筐体１２と天面格子１４との間に挿入される。挿入されたフィルタ１４は、さらに押し込まれ、図７に示すように、押込部２９の傾斜面２９ａにより本体筐体１２側に押し付けられ、フィルタ１８の先端はスリット２４に挿入される。その後、フィルタ１８の他端を、図３に示すように、本体筐体１２に沿って配置させフィルタ１８の取り付けが完了する。
【００４３】
上記の構成によれば、取っ手２６がフロントパネル１６の取っ手拘束部３６に覆われ、係合されているため、天面格子１４の前端側はフロントパネル１６によりその盲動が拘束されている。盲動を拘束されているため、天面格子１４は外部から力を加えられても挟持部２８と柱状部３２との係合が外れるほど移動することがない。
そのため、例えば、空調用室内ユニット１０を工場から販売店などへ輸送する際に、輸送による振動で天面格子１４が揺さぶられ本体筐体１２から外れることを防ぐことができる。
【００４４】
天面格子１４の取っ手２６には開口部２７が設けられているため、取っ手２６近傍を流れ、前面吸込口１５または天面吸込口１３に吸込まれる空気の流量低下を防ぐことができる。つまり、取っ手２６の近傍を流れる空気の流れは、取っ手２６に設けられた開口部２７を通って流れるため、流れ抵抗が小さくなり、その流量低下が小さくなる。
【００４５】
また、取っ手２６に開口部２７を設けて上記空気流れの抵抗を小さくすることができるので、取っ手２６のサイズを大きくできる。天面格子１４を取り外す時には、取っ手２６を手で持って天面格子１４を上方へ引き上げて取り外すため、取っ手２６のサイズが大きいと手に持ちやすくなり、天面格子１４の取り外し操作が楽になる。
【００４６】
柱状部３２の下部には、略下方に向かってリブ３３が設けられているので、フィルタ１８を挿入する際に、フィルタ１８の先端が、例えば挟持部２８の前面側の板状柱２８ａまたはリブ３３に衝突することはあっても、背面側の板状柱２８ａに衝突することはない。
フィルタ１８の先端が前面側の板状柱２８ａまたはリブ３３に衝突すると、フィルタ１８の先端は前面側の板状柱２８ａまたはリブ３３に沿って本体筐体１２側に押し戻される。これにより、フィルタ１８の先端を本体筐体１２とフロントパネル１６との間に導くことができる。
【００４７】
天面格子１４のフィルタ１８側の面に、挿入されたフィルタ１８を本体筐体１２側に押しつける押込部２９が形成されている。そのため、フィルタ１８の先端は、挿入時に押込部２９の傾斜面２９ａにより本体筐体１２側に押し付けられる。本体筐体１２側に押付けられることにより、フィルタ１８の先端の位置はスリット３４に挿通するのに好適な位置となり、容易にフィルタ１８の先端をスリット３４に挿通することができ、フィルタ１８を所定の位置まで挿入することができる。
例えば、もし押込部２９が設けられず、フィルタ１８の先端が挿入時に浮き上がり天面格子１４側に位置すると、フィルタ１８の先端は本体筐体１２の壁面と衝突し正確に配置することができなくなる。また、無理に挿入を続けると破損する恐れがある。
【００４８】
〔第２の実施の形態〕
次に、本発明の第２の実施の形態について図１２を参照して説明する。
本実施の形態の空調用室内ユニット１０の基本構成は、第１の実施の形態と同様であるが、第１の実施の形態とは、本体筐体１２と天面格子１４との係合部が異なっている。よって、本実施の形態においては、図１２を用いて本体筐体１２と天面格子１４との係合部周辺のみを説明し、空調用室外ユニット４０等の説明を省略する。
図１２は、本実施の形態における本体筐体と天面格子との係合部の拡大断面図である。
本体筐体１２には、図１２に示すように、円筒形状の柱状部３２が設けられ、柱状部３２の下部には、板状のリブ５１が下方に向かって背面側に傾斜するように設けられている。
【００４９】
上記の構成からなる空調用室内ユニット１０における、フィルタ１８の取り付けについて説明する。
フィルタ１８は、図１２の白抜き矢印で示すように、本体筐体１２の前方下方から柱状部３２およびリブ５１の下方を通り、本体筐体１２と天面格子１４との間に挿入される。
もし、フィルタ１８の先端がリブ５１に衝突しても、フィルタ１８の先端はリブ５１に沿って本体筐体１２側に押し戻される。これにより、フィルタ１８の先端は本体筐体１２とフロントパネル１６との間に導かれる。
フィルタ１４の先端が本体筐体１２と天面格子１４との間に挿入されてからは、第１の実施の形態における作用と同じであるので、その説明を省略する。
【００５０】
柱状部３２の下部には、リブ５１が設けられているので、フィルタ１８を挿入する際に、フィルタ１８の先端が、例えばフィルタ１８の先端がリブ５１に衝突すると、フィルタ１８の先端はリブ５１の傾斜により本体筐体１２側に押し戻されやすくなる。これにより、フィルタ１８の先端を本体筐体１２とフロントパネル１６との間に導きやすくなる。
【００５１】
〔第３の実施の形態〕
次に、本発明の第３の実施の形態について図１３を参照して説明する。
本実施の形態の空調用室内ユニット１０の基本構成は、第１の実施の形態と同様であるが、第１の実施の形態とは、本体筐体１２と天面格子１４との係合部が異なっている。よって、本実施の形態においては、図１３を用いて本体筐体１２と天面格子１４との係合部周辺のみを説明し、空調用室外ユニット４０等の説明を省略する。
図１３は、本実施の形態における本体筐体と天面格子との係合部の拡大断面図である。
本体筐体１２には、図１３に示すように、円筒形状の柱状部３２が設けられ、柱状部３２の下部には、板状のリブ６１が設けられている。リブ６１は、柱状部３２と隣接する上半部６１ａが略鉛直方向に形成され、下半部（誘導部）６１ｂが下方に向かって背面側に傾斜するように形成されている。
【００５２】
上記の構成からなる空調用室内ユニット１０における、フィルタ１８の取り付けについて説明する。
フィルタ１８は、図１３の白抜き矢印で示すように、本体筐体１２の前方下方から柱状部３２およびリブ６１の下方を通り、本体筐体１２と天面格子１４との間に挿入される。
もし、フィルタ１８の先端がリブ６１に衝突しても、フィルタ１８の先端はリブ６１の下半部６１ｂに沿って本体筐体１２側に押し戻される。これにより、フィルタ１８の先端は本体筐体１２とフロントパネル１６との間に導かれる。リブ６１の上半部６１ａは、挟持部２８の前面側の板状柱２８ａに隠れているので、ここにフィルタ１８の先端は衝突しない。
フィルタ１４の先端が本体筐体１２と天面格子１４との間に挿入されてからは、第１の実施の形態における作用と同じであるので、その説明を省略する。
【００５３】
柱状部３２の下部には、リブ６１が設けられているので、フィルタ１８を挿入する際に、フィルタ１８の先端が、例えばフィルタ１８の先端がリブ６１の下半部６１ｂに衝突すると、フィルタ１８の先端はリブ６１の下半部６１ｂの傾斜により本体筐体１２側に押し戻されやすくなる。これにより、フィルタ１８の先端を本体筐体１２とフロントパネル１６との間に導きやすくなる。
【００５４】
〔第４の実施の形態〕
次に、本発明の第４の実施の形態について図１４を参照して説明する。
本実施の形態の空調用室内ユニット１０の基本構成は、第１の実施の形態と同様であるが、第１の実施の形態とは、本体筐体１２と天面格子１４との係合部が異なっている。よって、本実施の形態においては、図１４を用いて本体筐体１２と天面格子１４との係合部周辺のみを説明し、空調用室外ユニット４０等の説明を省略する。
図１４は、本実施の形態における本体筐体と天面格子との係合部の拡大断面図である。
本体筐体１２には、図１４に示すように、円筒形状の柱状部３２が設けられ、柱状部３２の下部には、板状のリブ７１が設けられている。リブ７１は、下方に向かうにつれ背面側への傾斜がきつくなる曲面を有する形状に形成され、柱状部３２との接合部においては、その面が略垂直方向となるように配置されている。
【００５５】
上記の構成からなる空調用室内ユニット１０における、フィルタ１８の取り付けについて説明する。
フィルタ１８は、図１４の白抜き矢印で示すように、本体筐体１２の前方下方から柱状部３２およびリブ７１の下方を通り、本体筐体１２と天面格子１４との間に挿入される。
もし、フィルタ１８の先端がリブ７１に衝突しても、フィルタ１８の先端はリブ７１に沿って本体筐体１２側に押し戻される。これにより、フィルタ１８の先端は本体筐体１２とフロントパネル１６との間に導かれる。
フィルタ１４の先端が本体筐体１２と天面格子１４との間に挿入されてからは、第１の実施の形態における作用と同じであるので、その説明を省略する。
【００５６】
柱状部３２の下部には、リブ７１が設けられている。フィルタ１８を挿入する際に、フィルタ１８の先端が、例えばフィルタ１８の先端がリブ７１に衝突すると、リブ６１の傾斜は下方に向かうほどきつくなるので、フィルタ１８の先端は本体筐体１２側に押し戻されやすくなる。これにより、フィルタ１８の先端を本体筐体１２とフロントパネル１６との間に導きやすくなる。
【００５７】
〔第５の実施の形態〕
次に、本発明の第２の実施の形態について図１５を参照して説明する。
本実施の形態の空調用室内ユニット１０の基本構成は、第１の実施の形態と同様であるが、第１の実施の形態とは、本体筐体１２と天面格子１４との係合部が異なっている。よって、本実施の形態においては、図１５を用いて本体筐体１２と天面格子１４との係合部周辺のみを説明し、空調用室外ユニット４０等の説明を省略する。
図１５は、本実施の形態における本体筐体と天面格子との係合部の拡大断面図である。
本体筐体１２には、図１５に示すように、円筒形状の柱状部３２が設けられている。天面格子１４には、挟持部８１が設けられ、挟持部８１は一対の対向した板状柱８２ａ、８２ｂから構成されている。
板状柱８２ａは板状柱８２ｂよりも全長が長く形成され、板状柱８２ａが前面側に配置されている。板状柱８２ｂの長さは、板状柱８２ａにより規制されるフィルタ１８の挿入軌跡（図１５における白抜き矢印）から退避した長さに形成され、板状柱８２ｂが背面側に配置されている。この一対の板状柱２８ａ、２８ａの間隔は、天面格子１４から本体筐体１２に向かって漸次狭くなるように配置されている。
【００５８】
上記の構成からなる空調用室内ユニット１０における、フィルタ１８の取り付けについて説明する。
フィルタ１８は、図１５の白抜き矢印で示すように、本体筐体１２の前方下方から柱状部３２およびリブ５１の下方を通り、本体筐体１２と天面格子１４との間に挿入される。
もし、フィルタ１８の先端が板状柱８２ａに衝突しても、フィルタ１８の先端は板状柱８２ａに沿って本体筐体１２側に押し戻される。これにより、フィルタ１８の先端は本体筐体１２とフロントパネル１６との間に導かれる。板状柱８２ｂは、板状柱８２ａの陰に入っているのでフィルタ１８の先端とは衝突しない。フィルタ１４の先端が本体筐体１２と天面格子１４との間に挿入されてからは、第１の実施の形態における作用と同じであるので、その説明を省略する。
【００５９】
板状柱８２ｂは、板状柱８２ａにより規制されるフィルタ１８の挿入軌跡から退避した長さに形成されているので、フィルタ１８の先端が板状柱８２ａに衝突することはあっても板状柱８２ｂには衝突せず、フィルタ１８の先端が、一対の板状柱８２ａ、８２ｂの間にはまり込み、フィルタ１８または板状柱８２ｂが破損する恐れがなくなる。
【００６０】
〔第６の実施の形態〕
次に、本発明の第６の実施の形態について図１６を参照して説明する。
本実施の形態の空調用室内ユニット１０の基本構成は、第１の実施の形態と同様であるが、第１の実施の形態とは、本体筐体１２と天面格子１４との係合部が異なっている。よって、本実施の形態においては、図１６を用いて本体筐体１２と天面格子１４との係合部周辺のみを説明し、空調用室外ユニット４０等の説明を省略する。
図１６は、本実施の形態における本体筐体と天面格子との係合部の拡大断面図である。
本体筐体１２には、図１６に示すように、円筒形状の柱状部３２が設けられている。天面格子１４には、挟持部９１が設けられ、挟持部９１は一対の対向した板状柱９２ａ、９２ｂから構成されている。板状柱９２ａ、９２ｂは、その先端が柱状部３２に沿うように円弧状に形成されている。
板状柱９２ｂの板厚は、板状柱９２ａの板厚により規制されるフィルタ１８の挿入軌跡（図１６における白抜き矢印）から退避する板厚に形成されている。
【００６１】
上記の構成からなる空調用室内ユニット１０における、フィルタ１８の取り付けについて説明する。
フィルタ１８は、図１６の白抜き矢印で示すように、本体筐体１２の前方下方から柱状部３２の下方を通り、本体筐体１２と天面格子１４との間に挿入される。
もし、フィルタ１８の先端が板状柱９２ａに衝突しても、フィルタ１８の先端は板状柱９２ａに沿って本体筐体１２側に押し戻される。これにより、フィルタ１８の先端は本体筐体１２とフロントパネル１６との間に導かれる。板状柱９２ｂは、板状柱９２ａの陰に入っているのでフィルタ１８の先端とは衝突しない。フィルタ１４の先端が本体筐体１２と天面格子１４との間に挿入されてからは、第１の実施の形態における作用と同じであるので、その説明を省略する。
【００６２】
板状柱９２ｂの板厚は、板状柱９２ａにより規制されるフィルタ１８の挿入軌跡から退避した板厚に形成されているので、フィルタ１８の先端が板状柱９２ａに衝突することはあっても板状柱９２ｂには衝突せず、フィルタ１８の先端が、一対の板状柱９２ａ、９２ｂの間にはまり込み、フィルタ１８または板状柱９２ｂが破損する恐れがなくなる。
【００６３】
なお、本発明の技術範囲は上記実施形態に限定されるものではなく、本発明の趣旨を逸脱しない範囲において種々の変更を加えることが可能である。
例えば、上記の実施の形態においては、本体筐体１２側に柱状部３２を設け、天面格子１４側に挟持部２８を設けて、本体筐体１２と天面格子１４とを係合する構成に適応して説明したが、この本体筐体１２側に柱状部３２を設け、天面格子１４側に挟持部２８を設けた構成に限られることなく、本体筐体１２側に挟持部、天面格子１４側に柱状部を設けた構成など、さまざまな係合構成に適応することができるものである。
【００６４】
【発明の効果】
以上説明したように、請求項１に係る発明によれば、上記突起部がフロントパネルと係合しているため、天面格子が輸送等の振動で外れることを防ぐことができるという効果を奏する。
また、天面格子の前縁に突起部が設けられているので、この突起部を持って天面格子を上方にあげることができ、天面格子の取り外し操作が楽になるという効果を奏する。
【００６５】
請求項２に係る発明によれば、上記突起部には空気吸い込み用の開口部が設けられているため、前面吸込口または天面吸込口に吸込まれる空気の流れを阻害しにくくなり、上記空気の流量低下による性能低下を防ぐとことができるという効果を奏する。
また、空気吸い込み用の開口部を設けたことにより、突起部の大きさを大きくでき、天面格子の取り付け、取り外しを行いやすくすることができるという効果を奏する。
【００６６】
請求項３に係る発明によれば、上記柱状部には、フィルタの挿入、離脱時にフィルタの移動位置を規制する上記リブが設けられているので、フィルタを挿入する際には、フィルタが上記リブにガイドされ、挿入しやすくなるという効果を奏する。
【００６７】
請求項４に係る発明によれば、上記リブが、フィルタを本体筐体と天面格子との間に挿入する際に、フィルタを挿入方向に案内するように傾けて配置されているので、フィルタを本体筐体と天面格子との間により挿入しやすくなるという効果を奏する。
【００６８】
請求項５に係る発明によれば、上記リブには、傾斜角を有する誘導部が設けられているので、フィルタを本体筐体と天面格子との間により挿入しやすくなるという効果を奏する。
【００６９】
請求項６に係る発明によれば、柱状部と挟持部とが係合した状態において、上記リブが挟持部よりもフィルタ側に突出するように形成されているので、フィルタが挟持部を破壊することを防ぐことができるという効果を奏する。
【００７０】
請求項７に係る発明によれば、挟持部のフィルタ挿入方向奥側の他方の端部が、挟持部のフィルタ挿入方向手前側の一方の端部により規制されるフィルタの挿入軌跡から退避した位置に配置されているので、フィルタが挟持部を破壊することを防ぐことができるという効果を奏する。
【００７１】
請求項８に係る発明によれば、挟持部がＣ字状に形成されているとともに、挟持部の他方の端部の厚さが、挟持部の一方の端部の厚さにより規制されるフィルタの挿入軌跡から退避する厚さに形成されているので、フィルタが挟持部を破壊することを防ぐことができるという効果を奏する。
【００７２】
請求項９に係る発明によれば、天面格子のフィルタ側の面に、挿入されたフィルタを本体筐体側に押しつける押込部が形成されているため、フィルタを本体筐体と天面格子との間に所定の位置まで挿入しやすくなるという効果を奏する。
【００７３】
請求項１０に係る発明によれば、フロントパネルと天面格子とが本体筐体に装着された状態において、上記突起部がフロントパネルに覆われているため、天面格子が輸送等の振動で外れることを防ぐことができるという効果を奏する。
【図面の簡単な説明】
【図１】本発明による空気調和機の第１の実施の形態を示す概略図である。
【図２】図１における空調用室内ユニットの斜視図である。
【図３】図２における空調用室内ユニットのＡ−Ａ線矢視断面図である。
【図４】図１における天面格子を本体筐体側から見た図である。
【図５】図４における天面格子の部分拡大図である。
【図６】図３における本体筐体と天面格子との係合部の部分拡大断面図である。
【図７】図３における本体筐体と天面格子との係合部の部分拡大断面図である。
【図８】図２における本体筐体と天面格子との係合部の部分拡大斜視図である。
【図９】図２における本体筐体と天面格子との係合部の部分拡大斜視図である。
【図１０】図２における本体筐体と天面格子との係合部の部分拡大斜視図である。
【図１１】図２における本体筐体と天面格子との係合部の部分拡大斜視図である。
【図１２】本発明の第２の実施の形態における本体筐体と天面格子との係合部の部分拡大断面図である。
【図１３】本発明の第３の実施の形態における本体筐体と天面格子との係合部の部分拡大断面図である。
【図１４】本発明の第４の実施の形態における本体筐体と天面格子との係合部の部分拡大断面図である。
【図１５】本発明の第５の実施の形態における本体筐体と天面格子との係合部の部分拡大断面図である。
【図１６】本発明の第６の実施の形態における本体筐体と天面格子との係合部の部分拡大断面図である。
【符号の説明】
１  空気調和機
１０  空調用室内ユニット
１２  本体筐体
１３  天面吸込口
１４  天面格子
１５  前面吸込口
１６  フロントパネル
１７  吹出口
１８  フィルタ
１９  室内熱交換器
２０  クロスフローファン（室内ファン）
２６  取っ手（突起部）
２７  開口部
２８、８１、９１  挟持部
２９  押込部
３２  柱状部
３３、５１、６１、７１  リブ
３４  スリット（挿通用開口部）
４０  空調用室外ユニット
４１  圧縮機
４２  室外熱交換器
４３  プロペラファン（室外ファン）
６１ｂ  下半部（誘導部）
【図１】
2004347255.tif 000003
【図２】
2004347255.tif 000004
【図３】
2004347255.tif 000005
【図４】
2004347255.tif 000006
【図５】
2004347255.tif 000007
【図６】
2004347255.tif 000008
【図７】
2004347255.tif 000009
【図８】
2004347255.tif 000010
【図９】
2004347255.tif 000011
【図１０】
2004347255.tif 000012
【図１１】
2004347255.tif 000013
【図１２】
2004347255.tif 000014
【図１３】
2004347255.tif 000015
【図１４】
2004347255.tif 000016
【図１５】
2004347255.tif 000017
【図１６】
2004347255.tif 000018